(57)【特許請求の範囲】
【請求項１】
電源電線を接続し、温度ヒューズを取り付ける端子台であって、温度ヒューズのリード線を回路基板に接続するための放熱性コンタクトを温度ヒューズのリード線を挿入接続する挟持部を設けて備え、放熱性コンタクトは、放熱性コンタクトを回路基板にはんだ付けする際に熱が挟持部に伝達するのを抑えるように放熱する放熱板を有していることを特徴とする端子台。
【請求項２】
放熱板は第１放熱板と第２放熱板を対向して配設してあり、第１放熱板又は第２放熱板の少なくとも一方に弾性体からなる挟持部を設けて当該第１及び第２放熱板にて温度ヒューズのリード線を挟持した放熱性コンタクトであることを特徴とする請求項１記載の端子台。
【発明の詳細な説明】
【０００１】
【発明の属する技術分野】
本発明はルームエアコン等の空調機に電源を接続するための端子台に設けられた、接続部異常発熱を検知するための温度ヒューズのリード線を回路基板に接続するコンタクト構造及び当該コンタクトを有する端子台に関する。
【０００２】
【従来の技術】
ルームエアコン等の空調機においては室外機と室内機の電源を接続するための端子台が設けられていて、この電源接続部の異常による発熱を検知して内部回路を保護するために温度ヒューズがこの端子台に取り付けられている。
そしてこの温度ヒューズをリード線を介して回路基板に接続する必要があるが、温度ヒューズのリード線を直接回路基板にはんだ付けしようとするとはんだ付け時の熱により温度ヒューズが動作し溶断する危険性があり、これを防止するために従来は図４に示すような方法を採用していた。
図４の（イ）は従来の端子台の例の平面図を示し、（ロ）にその側面図、（ハ）に温度ヒューズの端子台取り付け部断面図（Ａ−Ａ断面図）、（ニ）に端子台の電源電線接続部断面図（Ｂ−Ｂ断面図）をそれぞれ示す。
電源電線４は端子台１００の電線挿入孔１１２ａ、１１２ｂに挿入し、バネ部材１１３にて挟持することで回路基板接続端子１１４を介して回路基板６にはんだ付け１１５にて接続されている。
また、電線を取り外す際には解除ボタン１１１を押圧する構造になっている。電源電線接続不良が生じると接続部が発熱し、これを検知して回路を切断するために図４の（ハ）に示すように端子台に温度ヒューズ２が取り付けられていて、この温度ヒューズのリード線２１ａ、２１ｂがコネクタ２２に接続され、このコネクタ２２をあらかじめ回路基板６にはんだ付けされている対のコネクタ５のコネクタピン５１に挿入接続する構造となっていた。
【０００３】
しかし、このような従来の構造では、温度ヒューズのリード線にコネクタ用端子を圧着し、このコネクタ用端子をコネクタハウジングに挿入接続し、一方、回路基板に上記コネクタに対となるコネクタをはんだで取り付け、これらの両コネクタを嵌合するという多くの作業工程及び部品を必要とし、しかも端子台が回路基板に取り付けられるまでの流通過程においてリード線の部分が宙に浮いた状態になっているために、引っかけて温度ヒューズ等が外れてしまう等のトラブル発生の恐れもあった。
【０００４】
【発明が解決しようとする課題】
本発明は上記の従来技術の技術課題に鑑みて、端子台の内部に異常発熱検知用に挿入取り付けられている温度ヒューズの回路基板への接続構造において部品点数が少なく、取り付け作業性に優れた温度ヒューズ接続コンタクト付端子台の提供を目的とする。
【０００５】
具体的に第１の目的は温度ヒューズの回路基板への接続のはんだ付け時の熱を放熱させて温度ヒューズへの伝達をおさえることにより、温度ヒューズのリード線接続コンタクトを端子台に設け従来回路基板に接続するために必要であった対のコネクタ５を廃止できる構造の提供にある。
第２の目的は端子台に設けたコンタクトに温度ヒューズのリード線を直接コンタクトに挿入接続出来、温度ヒューズの従来のコネクタ２２を廃止できる構造の提供にある。
【０００６】
【課題を解決するための手段】
請求項１記載の発明は、電源電線を接続し、温度ヒューズを取り付ける端子台であって、温度ヒューズのリード線を回路基板に接続するための放熱性コンタクトを温度ヒューズのリード線を挿入接続する挟持部を設けて備え、放熱性コンタクトは、放熱性コンタクトを回路基板にはんだ付けする際に熱が挟持部に伝達するのを抑えるように放熱する放熱板を有しているものである。
【０００７】
ここで放熱性コンタクトとは、表面積を大きくして表面からの放射熱及び熱伝導距離等を大きくして、はんだ付け時の熱を放射等させる薄い金属板からなるコンタクトをいい、温度ヒューズのリード線をこの放熱性コンタクトを介して回路基板にはんだ付けする際の熱を放熱性コンタクトにより放熱でき、温度ヒューズへの熱の伝達をおさえ、温度ヒューズの誤動作溶断を防止するように作用する。
【０００８】
請求項２記載の発明は、放熱性コンタクトの構造において第１放熱板と第２放熱板を対向して配設し、第１放熱板又は第２放熱板の少なくとも一方に弾性体からなる挟持部を設けてこの第１及び第２放熱板にて温度ヒューズのリード線を挟持する構造とした。
この場合に弾性体からなる挟持部は放熱板に一体的に設けてもよく、また別体を接合してもよい。
また挟持部にはリード線の挿入を確実に誘導し、ずれないように挟持凹部を設けるのが望ましい。
ここで第１放熱板と第２放熱板とは表面積の大きい金属板をいい、これらを対向させる方法としては各種考えられるのがこの２つの放熱板の側部をコ字形状に連結した構造にするとプレス加工等により一体的に成形出来るとともに連結部の表面からも熱放射させることが出来る。
このように表面積の大きい第１放熱板と第２放熱板を対向して配設し、第１放熱板又は第２放熱板の少なくとも一方に弾性体からなる挟持部を設けたので、温度ヒューズのリード線をこのコンタクトの挟持部に直接挿入接続できるように作用し、この挟持部にてコンタクトの表面積をより大きくできる。
【０００９】
【発明の実施の形態】
本発明の望ましい実施の形態を以下添付図面に基づいて説明する。
本発明に係る端子台の実施の形態を図１に示し、（イ）が平面図、（ロ）が側面図、（ハ）が放熱性コンタクト部分の断面図（Ｃ−Ｃ断面図）を示す。
端子台ケース１０は樹脂製であり、電源電線は端子台ケースに設けた電線挿入孔１２ａ、１２ｂに差し込まれ、取り外す場合には解除ボタン１１を押圧するがその構造は従来例にて説明したものと同様である。
端子台の内部に挿入取り付けられた温度ヒューズ２のリード線２１ａ、２１ｂは図１、（ハ）に示すように端子台ケース１０に設けられたコンタクト配設凹部１３ａ、１３ｂに配設したコンタクト３０ａ、３０ｂの上部に、端子台ケースのリード線挿入孔１４ａ、１４ｂを介して挿入接続されている。
【００１０】
このコンタクト３０（３０ａ、３０ｂ）は洋白等の薄い表面積の大きい金属板で形成されていて、その拡大斜視図を図２に示し、図３の（イ）が正面図、（ロ）が左側面図、（ハ）が右側面図、（ニ）が平面図を示す。
洋白は熱伝導率が高く放熱性にも優れ、この金属板にて表面積を確保するための第１放熱板３１と第２放熱板３２を連結部３４にてコ字形にプレス等で成形し、連結部３４の下部には回路基板６への接合部３５が設けられている。
第２放熱板の上部はＵ字状に折り返し挟持部３３を形成し、第１放熱板とこの挟持部にて温度ヒューズのリード線を挟持する構造になっている。
また、挟持部にはリード線を確実に誘導し、ずれを防止するために挟持凹部３３１が設けられ、放熱板の側部には端子台のコンタクト配設凹部の側壁に係合固定するための突起部３１１、３１２、３２１、３２２が設けられている。
【００１１】
次に端子台の回路基板への取り付け工程を説明すると、端子台ケース１０のコンタクト配設凹部１３ａ、１３ｂに下側からコンタクト３０ａ、３０ｂを嵌挿固定し、端子台ケースに温度ヒューズ２を挿入取り付けそのリード線２１ａ、２１ｂを端子台ケースのリード線挿入孔１４ａ、１４ｂから挿入し、コンタクトの挟持部に挿入接続する。
このような状態にて次の回路基板への取り付け工程又は流通過程に乗り、回路基板６とコンタクト接合部３５ａ、３５ｂにてはんだ付けされる。
温度ヒューズのリード線がコンタクトに接続された状態にあっても、はんだ付け時の熱はこのコンタクトの放熱板にて放熱され、温度ヒューズが溶断するのを防止している。
【００１２】
【発明の効果】
本発明においては、端子台に取り付けられた温度ヒューズのリード線を回路基板に接続するためのコンタクトをこの端子台に設けたので従来回路基板に別に取り付けてあった温度ヒューズのリード線接続用のコネクタ部品及びその取り付け工程を削減できる。
また放熱板からなる放熱性コンタクトとしたのでコンタクトに温度ヒューズのリード線を直接接続したまま、次の工程に端子台を運搬でき、回路基板にはんだ付けできる。
【図面の簡単な説明】
【図１】本発明に係る端子台を示す。
【図２】コンタクトの斜視図を示す。
【図３】コンタクトの（イ）正面図、（ロ）左側面図、（ハ）右側面図、（ニ）平面図を示す。
【図４】従来の端子台の例を示す。
【符号の説明】
１      端子台
１０    端子台ケース
１１    解除ボタン
１２ａ、１２ｂ  電線挿入孔
１３ａ、１３ｂ  コンタクト配設凹部
１４ａ、１４ｂ  リード線挿入孔
２      温度ヒューズ
２１ａ、２１ｂ  リード線
３０（３０ａ、３０ｂ）  コンタクト
３１    第１放熱板
３２    第２放熱板
３３    挟持部
３４    連結部
３５（３５ａ、３５ｂ）  接合部
３１１、３１２、３２１、３２２  突起部
４      電源電線
５      対のコネクタ
６      回路基板
【図１】
0003732097.tif 000002
【図２】
0003732097.tif 000003
【図３】
0003732097.tif 000004
【図４】
0003732097.tif 000005